(57)【特許請求の範囲】
【請求項１】
封入物質により、空気入りタイヤのための監視装置を封入するための装置であって、監視装置が、少なくとも１個の圧力センサーを有し、封入のための装置が、
封入室を有する封入本体、並びに
封入物質が圧力センサーを詰まらせることを防止するために、圧力センサーの少なくとも一部にかみ合うようになっている、前記封入本体により担持されたせき止め要素、
を有し、
前記封入本体の半分の少なくとも一方は、監視装置の少なくとも一部を受容して、監視装置を少なくとも一部が前記封入室内で浮揚配置に保持するようになっている溝を有している、封入のための装置。
【請求項２】
封入される監視装置、及び封入物質により監視装置を封入するための装置の組み合わせ装置であって、
前記監視装置は、圧力センサー、及び支持体上に担持されたアンテナを有し、
前記封入装置は、封入室を有する封入本体、及び前記封入本体により担持されたせき止め要素を有し、
前記監視装置が前記封入室内に配置され、前記せき止め要素が、封入物質が圧力センサーを詰まらせることを防止するために前記圧力センサーにかみ合い、
前記封入本体が、前記封入室中に前記封入本体を通って伸長している溝を有し、前記監視装置の前記アンテナが、前記封入室内に浮揚位置で前記監視装置を少なくとも一部保持するために前記の溝中に配置されている、監視装置及び封入するための装置の組み合わせ装置。
【請求項３】
少なくとも圧力センサーを有する、空気入りタイヤの監視装置を封入物質により封入する方法であって、
監視装置を、浮揚配置で、封入本体の封入室内に配置する段階、
監視装置の圧力センサーにせき止め要素を接合して、圧力センサーを封入室から実質的にシールする段階、並びに
封入物質で封入室を充填する段階、
を有してなり、
監視装置が更にアンテナを有し、監視装置を封入する方法が更に、封入室内に浮揚位置に監視装置を少なくとも一部保持するために、封入本体とともに監視装置のアンテナを保持する段階を有している、監視装置を封入する方法。
【発明の詳細な説明】
【０００１】
【発明の属する技術分野】
本発明は概括的には封入装置に、そしてより具体的には、タイヤを自動車に設置する時にタイヤの状態を監視するために、典型的には空気入りタイヤの内面上に使用される監視装置を封入するために使用される封入装置、に関する。特に、本発明は、それが機能することができるように、監視装置の圧力センサーに周囲の空気と流体連絡を保持させながら、保護ハウジング内に電子監視装置を封入するための装置に関する。
【０００２】
【従来の技術】
当該技術分野においてはしばしば、タイヤを設置して、自動車上に使用中に、タイヤの状態を監視することが所望される。典型的な望ましい測定事項はタイヤの摩耗、内部温度、及び内圧である。これらの測定事項は好ましくは、自動車からタイヤを取り外さなければならないか又は測定値を採るためにタイヤを特別に配置しなければならない必要なしに、タイヤを自動車上に使用中に採取される。多数の種類の監視装置がこれらの測定を実施するために当該技術分野で知られている。既知の監視装置の一つの種類は、誘導磁気カップリングにより回路を作動させる高周波伝達により作動される、タイヤの本体内に埋封された受動集積回路を使用している。タイヤ状態を監視するために使用されるその他の従来の当該技術分野の装置は、弁棒におけるような、タイヤの外側に配置されている自蔵動力式回路を含む。その他の有効な自蔵動力式の、プロブラム可能な電子装置は、本出願の指定者に指定されている、米国特許第５，５７３，６１０号、同第５，５６２，７８７号及び同第５，５７３，６１１号に公表されている。
【０００３】
これらの監視装置に伴う当該技術分野の問題の一つは、空気入り自動車タイヤの荒々しい環境に比較すると、それらが比較的脆いことである。空気入りタイヤにより経験される力は、脆い電子監視装置を破壊して使用不能にさせるのに十分に大きい。これらの力は、タイヤの回転により引き起こされる回転力及び地上の物質に衝突するタイヤにより引き起こされる衝撃力を含む。従って、監視装置にこれらの力からの、ある程度の保護を提供することが必要である。感受性の電子監視装置を保護する一つの方法は、硬化エポキシ又はプラスチックのような比較的硬い物質中に装置を封入することである。封入物質は、電子監視装置の要素を相互に対して定位置に保持し、タイヤの力を受ける時に電子監視装置が破壊されることを防止する。
【０００４】
監視装置を封入することに伴う問題は、監視装置が好ましくは、圧力センサーがタイヤの内圧を感知することができるように、タイヤの内腔と流体連絡を維持しなければならない圧力センサーを含むことである。従って、必要な流体連絡は、電子監視装置全体を封入することができないこと、並びに、封入期間中にガス抜き孔を提供又は封入後にそれを形成しなければならないこと、を命令する。封入後にガス抜き孔を形成することは概括的に、孔の正確な位置付けの困難性、圧力センサーの洗浄、及び封入方法の追加的段階の経費を伴うので、望ましくない。従って、当該技術分野においては、圧力センサーと周囲の空気との間に流体の連絡を維持しながら、圧力センサーを有する監視装置を封入させるような封入装置を提供することが所望される。
【０００５】
電子監視装置の封入に伴って遭遇されるもう一つの問題は、監視装置を、好ましくは単一の段階で全体的に封入しなければならないことである。従って監視装置は、封入物質が封入装置を完全に囲むことができるように、封入室内に浮揚しなければならない。従って、当該技術分野においては、一段階で、監視装置の全体を封入することができるような方法で、監視装置を保持する封入装置を提供することが所望される。
【０００６】
【発明が解決しようとする課題】
以上の事項を考慮して、空気入りタイヤに使用される電子監視装置を封入するための装置を提供することが本発明の目的である。
【０００７】
本発明のもう一つの目的は、圧力センサーが空気入りタイヤ中の圧力を感知することができるように、装置が封入された後に周囲の空気と流体連絡を維持しなければならない圧力センサーを有する監視装置を封入するための装置を提供することである。
【０００８】
本発明の更なる目的は、単一の封入段階で装置全体を封入物質により囲ませる、空気入りタイヤの感受性の監視装置の封入装置を提供することである。
【０００９】
本発明のもう一つの目的は、タイヤに対する封入装置の接着の補助をするために、封入装置の底部上に模様の付いた表面を形成する、空気入りタイヤの電子監視装置を封入するための装置を提供することである。
【００１０】
本発明の更なる目的は、監視装置の全体が封入されたことを表すことにより、封入物質が封入室を充填した時を示す、空気入りタイヤに対する監視装置を封入するための装置を提供することである。
【００１１】
本発明のもう一つの目的は、封入物質が封入室を完全に充填した時に、封入物質が圧力センサーを詰まらせることを防止するガス抜き管を含む、空気入りタイヤに対する監視装置を封入するための装置を提供することである。
【００１２】
本発明のもう一つの目的は、監視装置のアンテナが、封入室内の浮揚位置に監視装置を吊り下げるために使用されている、空気入りタイヤの監視装置を封入するための装置を提供することである。
【００１３】
本発明の更なる目的は、構造が簡単であり、簡単で、有効でそして安価な方法で前記の目的を達成し、問題を解決し、そして当該技術分野に存在する必要事項を満足させる、監視装置を封入するための装置を提供することである。
【００１４】
【課題を解決するための手段】
本発明の種々の目的及び利点は、封入物質を含む、空気入りタイヤの監視装置を封入するための装置により得られ、当該監視装置は、少なくとも１個の圧力センサーを有し、当該封入装置は封入室を有する封入本体、及び封入本体により担持されるせき止め要素を含み、当該せき止め要素は封入物質が圧力センサーを詰まらせることを防止するために、圧力センサーの少なくとも一部にかみ合うようになっている。
【００１５】
本発明のその他の目的及び利点は、封入される監視装置と、封入物質により監視装置を封入するための装置との組み合わせにより得られ、当該監視装置は、圧力センサー及び、支持体上に担持されたアンテナを含み、封入装置は封入室を有する封入本体、及び封入本体により担持されたせき止め要素を含み、監視装置は封入室内に配置され、せき止め要素は封入物質が圧力センサーを詰まらせることを防止するために圧力センサーにかみ合っている。
【００１６】
本出願者が本発明の原理を適用することにより予想する最良のモードを表す、本発明の好ましい態様が、以下に説明され、図に示され、そして付記の請求項に具体的にそして明白に指摘され、説明されている。
【００１７】
本明細書を通して、同様な数字が同様な要素を表している。
【００１８】
空気入りタイヤを監視するために使用される封入監視装置が図１に示され、概括的には数字２により示されている。封入監視装置２は、封入物質６中に封入された監視装置４を含む。封入物質６は、空気入りタイヤにより経験される力にさらされる時に、監視装置４が破壊することを防止する、監視装置４のための保護ハウジングを形成する。封入物質６は、それが硬化する時に実質的に硬いエポキシ又は適切なプラスチックにすることができる。当該技術分野においては封入物質６は、監視装置４が使用中に完全に保護されるように、監視装置４を完全に囲むことが所望される。監視装置４が、圧力センサーが機能するために空気入りタイヤの内側の室と流体連絡を維持しなければならない圧力センサー８を含む時には、監視装置４全体を封入することを伴う問題が起こる。
【００１９】
本発明の目的の一つに従う、封入物質６による監視装置４を封入するための装置は図に示され、概括的には数字１０で示されている。封入装置１０は、監視装置４の圧力センサー８を、封入された監視装置２を囲む空気と流体連絡を維持させながら、監視装置４を全体的に封入するようになっている。封入装置１０は概括的には、本体１２中に封入室１４を配置されている封入本体１２を含む。封入室１４は、装置４が封入室内に受納される時に封入室内１４の実質的に中心に配置されるような浮揚配置で監視装置４を受納するような形態になっている。長方形の片側から突き出している円筒形の膨らみを伴う、全体的に長方形を有する監視装置４の特別な態様を封入するための、本明細書に説明され、図に示された本発明の態様が示されている。本発明の概念は、これらの図に示された監視装置４とは異なる形状及び形態をもつ監視装置により機能するようにさせることができることは理解される。封入装置１０はまた、圧力センサー８において監視装置４と接触して、それが封入室１４内に監視装置４を支持し、そして封入室１４が封入物質６で充填される時に、圧力センサー８が詰まることを防止する、封入体１２により担持されているせき止め要素１６を含む。封入装置１０は、封入物質６に大部分の監視装置４を囲ませるような浮揚配置で監視装置４を封入室１４内に配置することにより使用される。次に、封入物質６は、封入室１４中に注入又は導入されて、監視装置４を囲む。次に封入物質６は硬化又は乾燥されて、図１に示される封入監視装置２を形成する。
【００２０】
封入体１２は、半分の本体２０及び２２が接合されると、協力して封入室１４を形成する、第１の本体の半分２０及び第２の本体の半分２２を含む。本体の半分２０及び２２は図に示された、ボルトのような複数の接合具２４により接合することができる。各接合具２４は第１の半分の本体２０中の穴２６及び第２の本体の半分２２中のねじ付き孔２８中に受納される。図に示された本発明の態様においては、本体の半分２０及び２２を保持するために３個の接合具２４が使用されている。本発明のその他の態様においては、異なる数の接合具２４を使用することができ、異なるタイプの接合具が本体の半分２０及び２２を一緒に保持することができる。各孔２６は接合具２４の頭部３０とかみ合って、接合具２４と本体の半分２０及び２２との間の締め付け力を形成するショルダー２７を含む。
【００２１】
本発明の目的の一つに従うと、第２の本体の半分２２は、本体の半分２０及び２２が接合されると、封入室１４の一部を形成する模様の付いた表面３２を含む。図に示された本発明の態様においては、模様の付いた表面３２は封入室１４に対してへこんでいる、複数のえくぼ３４を含む。各えくぼ３４は封入物質６で充填されて、封入監視装置２の、空気入りタイヤの内側材料のような表面に接着する性能を改善させる、封入監視装置２上の模様の付いた表面を形成する。単に本発明の一例の態様を提供するその他の模様付き表面３２もまた、えくぼ３４の代わりに使用することができる。
【００２２】
第１の本体の半分２０は、半分２０及び２２が接合される時に封入室１４のもう一方の部分を区画している室壁３６を含む。室壁３６は、第１の本体の半分２０中に伸長して、監視装置４のバッテリー４０を収納するバッテリー部分３８を含む。
【００２３】
第１及び第２の本体の半分２０及び２２は、それらが接合されると完全に封入室１４を形成するようにすることができるが、本発明の好ましい態様は、封入室１４を完成させ、そして本体の半分２０及び２２を一緒に保持するために上板４２及び底板４４を使用している。本体の半分２０及び２２は上板４２と底板４４との間に挟まれている。複数の接合具４６は従来の当該技術分野で既知の方法で、要素４２、２０、２２、及び４４を接合する。例えば、各接合具４６は、ナット５０がそこでボルト４８のねじ付き末端にねじによりかみ合う、上板４２、本体の半分２０又は２２、及び底板４４を貫通して伸長するように形成されているボルト４８を含むことができる。ワッシャー５２を更に、ナット５０と底板４４との間に使用することができる。本発明のその他の態様においては、孔５４及び底板４４は、ねじを付けて、ボルト４８をねじにより受納することができる。
【００２４】
本発明のもう一つの目的に従うと、上板４２は封入室１４の輪郭に実質的に合致する開口部６０を有する。開口部６０は上板４２の縁６２を形成している。図９で最も見易いように、縁６２は、リップ６４を形成するために封入室１４の一部の上に伸長しながら、封入壁３６及びバッテリー部分３８と実質的にフラッシュである。リップ６４は、封入物質６で封入室１４を充填している作業者に、封入室１４が完全に充填されていることを知らせるインジケーターの働きをする。このように、封入室１４を充填してしる作業者は、物質６がリップ６４に達する時に、封入室１４への封入物質６の添加を停止する。自動化応用においては、封入室１４が充填された時を示すためにリップ６４にセンサーを配置することができる。本発明の例示的態様においては、リップ６４は封入室１４の片側のみに伸長している。図に示された底の縁と異なり、リップ６４が封入室１４の全周に伸長するか又は封入室１４の単にもう１カ所の小部分上に伸長することも考慮される。
【００２５】
本発明のもう一つの目的に従うと、本体の半分２０及び２２は協力して封入室１４内の浮揚位置に監視装置４を保持する。浮揚位置は監視装置４が封入物質６により完全に取り囲まれることを可能にする。この浮揚配置に監視装置４を支持する方法の一つは、本体１２中に配置された溝７２中の監視装置４のアンテナ７０を支持することである。本発明の好ましい態様においては、本体の半分の２０及び２２が、本体半分の２０及び２２の間にアンテナ７０を固定するために一緒にされる時に、監視装置４が封入室１４内に配置されることができるように、溝７２が、本体の半分の２０及び２２の接着面７４の一方もしくは両方上に形成されている。好ましい態様においては、溝７２は、一部は、それぞれの本体の半分２０及び２２中に形成されている。溝７２は、アンテナ７０に強度を与えてそれが破壊されることを防止する助けをするために、封入物質６にアンテナ７０の一部を囲ませるような、封入室１４に隣接した幅広い部分７６を含む。
【００２６】
表面３２及び３６は、アンテナ７０が、半分の本体２０及び２２が接合される時に形成される溝７２中に受納される時に、監視装置４の各要素から距離をもつように形成されている。図４及び５に見られるように、監視装置４がアンテナ７０の固定により浮揚配置に保持される時には、本体１２及び監視装置４の各表面の間に広い空間が提供される。本発明のもう一つの目的に従うと、せき止め要素１６はまた、アンテナ７０の反対方向で監視装置４の末端を支持することにより、監視装置４の浮揚配置を保持する助けをする。
【００２７】
せき止め要素１６は、せき止め要素１６を、監視装置４及び特に圧力センサー８に対して早急にそして容易に調整できるように、本体１２により調整可能に担持されている。本発明の好ましい態様においては、せき止め要素１６はねじ付きで、本体の半分２０中に形成されたねじ孔中にねじにより受納される。本体の半分２０によるせき止め要素１６の間のねじによる接合は、本体の要素２０に対してせき止め要素１６を回転させることにより、せき止め要素１６の位置が圧力センサー８に対して調節されることを可能にさせる。
【００２８】
せき止め要素１６は好ましくは、第１の本体の半分２０の孔７８内に滑りはまる外面８０を有する円筒形を有する。第１の本体の半分２０は、外面８０と第１の本体の半分２０との間に外側のＯ−リング８４を押し付ける様態で、外側Ｏ−リング８４を受ける外側Ｏ−リング受座８２を含む。従って外側Ｏ−リング８４は孔７８から封入室１４をシールする。
【００２９】
本発明のもう一つの目的に従うと、せき止め要素１６は、封入室１４が封入物質６で充填される時に、圧力センサー８が封入物質６で詰まることを防止するために使用される。せき止め要素１６それ自体が、圧力センサー８とかみ合い、周囲の大気圧の測定値を提供するために周囲の大気と流体連絡を維持しなければならない圧力センサー８の流入口８６を囲むように形成されている。せき止め要素１６は、内側のＯ−リング受座と、せき止め要素１６の外壁８０との間に遮蔽壁９０を形成するために、外面８０の内側に放射状に配置された内側のＯ−リング受座８８を含む。内側Ｏ−リング９２は、内側Ｏ−リング受座８８中に配置されて、せき止め要素１６と圧力センサー８との間にシールを形成する。従って内側Ｏ−リング９２は封入室１４から流入口８６をシールしている。
【００３０】
本発明のもう一つの目的は、更に、せき止め要素１６の中心の縦の通路９６中に配置されているガス抜き管９４を提供することにより、封入室１４から流入口８６をシールすることを伴う。ガス抜き管９４は流入口８６上に滑りはまって、封入室１４から流入口８６を更にシールする。内側Ｏ−リング９２はガス抜き管９４、圧力センサー８、及びせき止め要素１６の間に挟まれて、封入物質６が流入口８６と接触することを防止する、ガス抜き管９４と封入室１４との間の堅いシールを形成する。ガス抜き管９４は縦の通路９６から全体に伸長してもよいし、又はせき止め要素１６の末端より手前で終結してもよい。本発明のその他の態様においては、ガス抜き管９４はそれが、圧力センサー８の流入口８６にはまり込むその先端に、中空部分をもつのみの可能性がある。ガス抜き管９４の残りの部分は充実していてもよい。
【００３１】
封入装置１０は最初に、溝７２中にアンテナ７０を固定することにより本体の半分２０と２２との間に監視装置４を固定することにより使用される。接合具２４が挿入されて、本体の半分２０及び２２を一緒に保持する。次に、ガス抜き管９４及びせき止め要素１６を本体の半分２０中に挿入し、圧力センサー８の流入口８６が封入室１４からシールされるように圧力センサー８に接触するように調節することができる。せき止め要素１６が適切に調節され、圧力センサー８に接合されると、監視装置４は封入室１４内に浮揚配置に維持される。次に、上板４２及び底板４４を残りの要素に接合して、封入室１４の底を閉鎖して、リップ６４を提供することができる。本体１２が集成された後に、封入物質６を上板４２中の開口部６０を通って封入室１４中に注入することができる。封入物質６の挿入は、それがリップ６４の高さに達した時に停止される。封入物質６は、本体１２を分解して、封入装置１０から、封入された監視装置２を取り出す前に硬化される。せき止め要素１６は、監視装置４が図１に示されるように封入された後に、圧力センサー８が周囲の大気と流体連絡を保持することを確保する。
【００３２】
従って、改善された封入装置は、簡素化され、列挙されたすべての目的を達成する、有効な、安全な、安価なそして効率のよい装置を提供し、従来の装置により遭遇される困難を排除し、そして当該技術分野の問題を解決し、新規の結果を得る。
【００３３】
前記の説明において、ある用語は、簡略化、明瞭化及び理解のために使用されてきたが、このような用語は説明の目的のために使用され、広く解釈されることを意図されているので、従来の当該技術分野の要求を越える、不必要な制約はそれらから意味されない。
【００３４】
更に、本発明の説明及び図示は例により示され、そして本発明の範囲は、示され又は説明された厳密な詳細に制約されるものではない。
【００３５】
ここまで、本発明の特徴、発見及び原理を説明したので、封入装置が構成され、使用される方法、構成物の特徴及び、好都合な、新規で有用な結果が得られた、すなわち新規で有用な構造物、装置、要素、配列物、部品、及び組み合わせ物が付記の請求項に提示されている。
【００３６】
本発明の特徴と態様を以下に示す。
【００３７】
１．  封入物質により、空気入りタイヤのための監視装置を封入するための装置であって、監視装置が、少なくとも１個の圧力センサーを有し、封入のための装置が、
封入室を有する封入本体、並びに
前記封入本体により担持されたせき止め要素（前記せき止め要素は、封入物質が圧力センサーを詰まらせることを防止するために、圧力センサーの少なくとも一部にかみ合うようになっている）、
を含んでなる、装置。
【００３８】
２．  封入本体が、第１の本体の半分及び第２の本体の半分を含み、前記本体の半分が相互に接合されると、前記本体の半分が、協力して前記封入室を区画する、第１項記載の装置。
【００３９】
３．  前記本体の半分が接合されると、前記本体の半分の一方が前記封入室の少なくとも一部を形成する、模様の付いた表面を含む、第２項記載の装置。
【００４０】
４．  封入本体が更に、上板及び底板を含み、前記の板が前記本体の半分に接合されて、前記の封入室を更に区画する、第２項記載の装置。
【００４１】
５．  前記上板が縁を区画する開口部を有し、前記上板が前記本体の半分に接合されると、前記開口部の前記の縁が、前記封入室の少なくとも一部上にリップを形成する、第４項記載の装置。
【００４２】
６．  前記本体の半分の少なくとも一方が監視装置の少なくとも一部を受容して、監視装置を少なくとも一部は前記封入室内で浮揚配置に保持するようになっている溝を含む、第２項記載の装置。
【００４３】
７．  前記本体の半分の両方が、一部の溝部分を含み、前記本体の半分が接合されて、前記封入室を形成する時に、前記の一部の溝部分が協力して前記の溝を形成する、第６項記載の装置。
【００４４】
８．  前記封入本体に対する前記せき止め要素の位置を調節することができるように、前記せき止め要素が前記封入本体により調節可能に担持されている、第１項記載の装置。
【００４５】
９．  前記せき止め要素の回転が前記封入本体に対する前記せき止め要素の位置を調節するように、前記せき止め要素が前記封入本体によりねじ調節可能に担持されている、第８項記載の装置。
【００４６】
１０．  前記せき止め要素と前記封入本体との間に配置された外側Ｏ−リングを更に含んでなる、第１項記載の装置。
【００４７】
１１．  前記せき止め要素内に形成された内側Ｏ−リング受座を更に含んでなり、内側Ｏ−リングが前記受座内に配置され、監視装置が前記封入室内に配置される時に、前記内側Ｏ−リングが監視装置上の圧力センサーとかみ合うようになっている、第１０項記載の装置。
【００４８】
１２．  前記せき止め要素が縦の通路を有する管である、第１項記載の装置。
【００４９】
１３．  前記縦の通路中に配置されたガス抜き管を更に含んでなり、監視装置が前記封入室内に配置される時に、前記ガス抜き管が圧力センサーとかみ合うようになっている、第１２項記載の装置。
【００５０】
１４．  前記ガス抜き管と前記せき止め要素との間に配置された内側のＯ−リングを更に含んでなり、監視装置が封入室内にある時に、前記内側Ｏ−リングが圧力センサーとかみ合うようになっている、第１３項記載の装置。
【００５１】
１５．  せき止め要素が内側Ｏ−リング受座及び外壁を含み、前記の内側Ｏ−リング受座が、前記縦の通路に隣接し、前記の外壁の内側に放射状に配置されている、第１４項記載の装置。
【００５２】
１６．  前記封入本体が外側のＯ−リング受座を有し、外側のＯ−リングが前記の外側のＯ−リング受座内に配置され、前記の外側のＯ−リングが、前記せき止め要素の前記外壁に接して、前記封入室を少なくとも一部シールしている、第１５項記載の装置。
【００５３】
１７．  封入される監視装置及び、封入物質により監視装置を封入するための装置の組み合わせ物であって、前記監視装置が圧力センサー及び、支持体上に担持されたアンテナを含み、前記封入装置が封入室を有する封入本体及び、前記封入本体により担持されたせき止め要素を含み、前記監視装置が前記封入室内に配置され、前記せき止め要素が、封入物質が圧力センサーを詰まらせることを防止するために前記圧力センサーにかみ合う、組み合わせ装置。
【００５４】
１８．  前記封入本体が、前記封入室中に前記封入本体を通って伸長している溝を含み、前記監視装置の前記アンテナが、前記封入室内に浮揚位置で前記監視装置を少なくとも一部保持するために前記の溝中に配置されている、第１７項記載の組み合わせ物。
【００５５】
１９．  前記せき止め要素が縦の通路を含み、内側Ｏ−リングが前記縦の通路に隣接して配置され、前記内側Ｏ−リングが前記せき止め要素及び前記圧力センサーに接しており、前記内側Ｏ−リングが前記圧力センサーを前記封入室から少なくとも一部シールしている、第１７項記載の組み合わせ物。
【００５６】
２０．  前記縦の通路中に配置されたガス抜き管を更に含み、前記ガス抜き管が前記圧力センサーとかみ合い、前記内側Ｏ−リングが前記ガス抜き管の周囲に配置されている、第１９項記載の組み合わせ物。
【００５７】
２１．  前記せき止め要素と前記封入本体との間に配置された外側Ｏ−リングを更に含む、第２０項記載の組み合わせ物。
【００５８】
２２．  封入室が封入物質で充填される時を、視覚により封入装置の使用者に知らせるインジケーターを提供する、前記封入室上に伸長する前記封入本体上のリップを更に含んでなる、第１７項記載の組み合わせ物。
【００５９】
２３．  封入物質により、空気入りタイヤの監視装置を封入する方法で、監視装置は少なくとも圧力センサーを有し、
監視装置を、浮揚配置で、封入本体の封入室内に配置すること、
監視装置の圧力センサーにせき止め要素を接合して、圧力センサーを封入室から実質的にシールすること、並びに
封入物質で封入室を充填すること、
の段階を含んでなる、
方法。
【００６０】
２４．  監視装置が更にアンテナを含み、監視装置を封入する方法が更に、封入室内に浮揚位置に監視装置を少なくとも一部保持するために、封入本体とともに監視装置のアンテナを保持する段階を含む、第２３項の方法。
【００６１】
２５．  封入室の一部の上に配置されたリップを有する封入本体を提供すること、並びに
封入物質が封入本体のリップに接するまで封入室に封入物質を添加すること、の段階を更に含んでなる第２３項記載の方法。
【００６２】
２６．  封入室内で監視装置を中心に配置するために、封入本体に対してせき止め要素を調整する段階を更に含んでなる、第２５項記載の方法。
【００６３】
２７．  圧力センサーを封入室から少なくとも一部シールするために、せき止め要素中にガス抜き管を挿入すること及び、圧力センサーの少なくとも一部の上にガス抜き管を配置することの段階を更に含んでなる、第２３項記載の方法。
【図面の簡単な説明】
【図１】本発明の装置内に封入された封入監視装置の遠近図である。
【図２】感受性の電子構成部品及び圧力センサーパックを含む支持体を封入するための装置の遠近図である。
【図３】図２に示された本発明の封入装置の爆破遠近図である。
【図４】図２の線４−４に沿って採られた断面図である。
【図５】図４の線５−５に沿って採られた断面図である。
【図６】図５において図６と標識された円により囲まれた部分の拡大図でる。
【図７】封入物質で充填された封入室を伴う図５と同様な図である。
【図８】図７中で図８と標識された円により囲まれた物質の拡大図である。
【図９】図７の線９−９に沿って採られた断面図である。
【図１】
0004308993.tif 000002
【図２】
0004308993.tif 000003
【図３】
0004308993.tif 000004
【図４】
0004308993.tif 000005
【図５】
0004308993.tif 000006
【図６】
0004308993.tif 000007
【図７】
0004308993.tif 000008
【図８】
0004308993.tif 000009
【図９】
0004308993.tif 000010